(57)【要約】【課題】医療診断データが生成された医療機関と異なる医療機関において、医療診断データに容易にアクセスできるようにする。【解決手段】コンピュータを、ユーザに固有のユーザ識別情報を生成する識別情報取得部２７３、医療機関に固有の医療機関識別情報が付された医療診断データＡ１を受信する受信部２５、識別情報取得部２７３が生成したユーザ識別情報を医療診断データＡ１に挿入することにより、医療診断データＡ２を生成するデータ生成部２７４、及び医療診断データＡ２をデータ管理装置４に送信する送信部２４、として機能させる。【選択図】図３
2018106553.tif 000002
【特許請求の範囲】
【請求項１】
コンピュータを、
ユーザに固有のユーザ識別情報を生成する識別情報取得部、
医療機関に固有の医療機関識別情報が付された第１医療診断データを受信する受信部、
前記識別情報取得部が生成した前記ユーザ識別情報を前記第１医療診断データに挿入することにより、第２医療診断データを生成するデータ生成部、及び
前記第２医療診断データをデータ管理装置に送信する送信部、
として機能させるためのプログラム。
【請求項２】
前記データ生成部は、前記第１医療診断データに付された前記医療機関識別情報を削除し、かつ前記ユーザ識別情報を挿入することにより、第２医療診断データを生成する、
請求項１に記載のプログラム。
【請求項３】
コンピュータを、医師に関連付けて、前記第２医療診断データへのアクセスの可否を示すアクセス可否情報を取得する情報取得部としてさらに機能させ、
前記送信部は、医師を識別するための医師識別情報と、前記アクセス可否情報と、前記第２医療診断データを識別するためのデータ識別情報とを関連付けて、前記データ管理装置に送信する、
請求項１又は２に記載のプログラム。
【請求項４】
コンピュータを、前記ユーザ識別情報及び前記医師識別情報に対応するパターンの画像を含む識別画像を出力する画像出力部としてさらに機能させる、
請求項３に記載のプログラム。
【請求項５】
前記識別情報取得部は、通信事業者から付与された電話番号を含む前記ユーザ識別情報を生成する、
請求項１から４のいずれか一項に記載のプログラム。
【請求項６】
通信端末と、前記通信端末から受信した医療診断データを管理するデータ管理装置とを備え、
前記通信端末は、
ユーザに固有のユーザ識別情報を生成する識別情報取得部と、
医療機関に固有の医療機関識別情報が付された第１医療診断データを受信する端末受信部と、
前記識別情報取得部が生成した前記ユーザ識別情報を前記第１医療診断データに挿入することにより、第２医療診断データを生成するデータ生成部と、
前記第２医療診断データを前記データ管理装置に送信する端末送信部と、
を有し、
前記データ管理装置は、
前記端末送信部から受信した前記第２医療診断データを記憶する記憶部と、
外部装置から前記ユーザ識別情報を含むデータ要求を受信した場合に、受信した前記ユーザ識別情報が付された前記第２医療診断データを前記外部装置に送信する通信部と、
を有するデータ管理システム。
【請求項７】
コンピュータが実行する、
ユーザに固有のユーザ識別情報を生成するステップと、
医療機関に固有の医療機関識別情報が付された第１医療診断データを受信するステップと、
生成した前記ユーザ識別情報を前記第１医療診断データに挿入することにより、第２医療診断データを生成するステップと、
前記第２医療診断データをデータ管理装置に送信するステップと、
を有するデータ処理方法。
【請求項８】
ユーザに固有のユーザ識別情報を生成する識別情報取得部と、
医療機関に固有の医療機関識別情報が付された第１医療診断データを受信する受信部と、
前記識別情報取得部が生成した前記ユーザ識別情報を前記第１医療診断データに挿入することにより、第２医療診断データを生成するデータ生成部と、
前記第２医療診断データをデータ管理装置に送信する送信部と、
を有する通信端末。
【発明の詳細な説明】
【技術分野】
【０００１】
本発明は、医療診断データを管理するための通信端末、データ管理システム、データ処理方法及びプログラムに関する。
【背景技術】
【０００２】
従来、医療画像データを通信端末で閲覧する技術が知られている。特許文献１には、医療機関で診断を受けた患者が、自身の通信端末から、医療機関のサーバにおいて管理されている医療診断データにアクセスするための技術が開示されている。
【先行技術文献】
【特許文献】
【０００３】
【特許文献１】特開２０１４−１１５９６９号公報
【発明の概要】
【発明が解決しようとする課題】
【０００４】
ＤＩＣＯＭ画像を始めとする医療診断データには、医療診断データを管理する医療機関に固有の医療機関識別情報が付されており、医療機関のサーバで管理されている医療診断データにアクセスするためには、医療機関のサーバに医療機関識別情報を通知しなければならなかった。通信端末は、予め医療機関のサーバに登録する処理を行うことで医療機関識別情報を取得し、取得した医療機関識別情報を用いて、医療診断データにアクセスすることができた。
【０００５】
ところで、近年、医療診断データを医療機関以外の場所に設置されたサーバで管理するサービスの提供が始まっている。医療機関で診断を受けた患者は、自身の通信端末に医療機関識別情報を記憶させておくことで、自身の医療診断データにアクセスすることができる。しかしながら、患者が他の医療機関で診断を受ける際に、他の医療機関の医師が患者の医療診断データにアクセスすることはできなかった。したがって、患者が医療診断データを通信端末にダウンロードした後に、ダウンロードした医療診断データを、他の医療機関のサーバに転送する必要があり、患者の負担が大きいという問題があった。
【０００６】
そこで、本発明はこれらの点に鑑みてなされたものであり、医療診断データが生成された医療機関と異なる医療機関において、医療診断データに容易にアクセスできるようにするための通信端末、データ管理システム、データ処理方法及びプログラムを提供することを目的とする。
【課題を解決するための手段】
【０００７】
本発明の第１の態様のプログラムは、コンピュータを、ユーザに固有のユーザ識別情報を生成する識別情報取得部、医療機関に固有の医療機関識別情報が付された第１医療診断データを受信する受信部、前記識別情報取得部が生成した前記ユーザ識別情報を前記第１医療診断データに挿入することにより、第２医療診断データを生成するデータ生成部、及び前記第２医療診断データをデータ管理装置に送信する送信部、として機能させる。
【０００８】
前記データ生成部は、前記第１医療診断データに付された前記医療機関識別情報を削除し、かつ前記ユーザ識別情報を挿入することにより、第２医療診断データを生成してもよい。
【０００９】
前記プログラムは、コンピュータを、医師に関連付けて、前記第２医療診断データへのアクセスの可否を示すアクセス可否情報を取得する情報取得部としてさらに機能させ、前記送信部は、医師を識別するための医師識別情報と、前記アクセス可否情報と、前記第２医療診断データを識別するためのデータ識別情報とを関連付けて、前記データ管理装置に送信してもよい。
【００１０】
前記プログラムは、コンピュータを、前記ユーザ識別情報及び前記医師識別情報に対応するパターンの画像を含む識別画像を出力する画像出力部をさらに機能させてもよい。
【００１１】
前記識別情報取得部は、通信事業者から付与された電話番号を含む前記ユーザ識別情報を生成してもよい。
【００１２】
本発明の第２の態様のデータ管理システムは、通信端末と、前記通信端末から受信した医療診断データを管理するデータ管理装置とを備え、前記通信端末は、ユーザに固有のユーザ識別情報を生成する識別情報取得部と、医療機関に固有の医療機関識別情報が付された第１医療診断データを受信する端末受信部と、前記識別情報取得部が生成した前記ユーザ識別情報を前記第１医療診断データに挿入することにより、第２医療診断データを生成するデータ生成部と、前記第２医療診断データを前記データ管理装置に送信する端末送信部と、を有し、前記データ管理装置は、前記端末送信部から受信した前記第２医療診断データを記憶する記憶部と、外部装置から前記ユーザ識別情報を含むデータ要求を受信した場合に、受信した前記ユーザ識別情報が付された前記第２医療診断データを前記外部装置に送信する通信部と、を有する。
【００１３】
本発明の第３の態様のデータ処理方法は、コンピュータが実行する、ユーザに固有のユーザ識別情報を生成するステップと、医療機関に固有の医療機関識別情報が付された第１医療診断データを受信するステップと、生成した前記ユーザ識別情報を前記第１医療診断データに挿入することにより、第２医療診断データを生成するステップと、前記第２医療診断データをデータ管理装置に送信するステップを有する。
【００１４】
本発明の第４の態様の通信端末は、ユーザに固有のユーザ識別情報を生成する識別情報取得部と、医療機関に固有の医療機関識別情報が付された第１医療診断データを受信する受信部と、前記識別情報取得部が生成した前記ユーザ識別情報を前記第１医療診断データに挿入することにより、第２医療診断データを生成するデータ生成部と、前記第２医療診断データをデータ管理装置に送信する送信部とを有する。
【発明の効果】
【００１５】
本発明によれば、医療診断データが生成された医療機関と異なる医療機関において、医療診断データに容易にアクセスできるという効果を奏する。
【図面の簡単な説明】
【００１６】
【図１】データ管理システムの構成を示す図である。
【図２】情報端末の構成を示す図である。
【図３】通信端末の構成を示す図である。
【図４】アクセス可否を設定するための画面の例を示す図である。
【図５】データ管理装置の構成を示す図である。
【図６】アクセス管理テーブルの一例を示す図である。
【図７】医療診断データの例を示す図である。
【図８】医師端末の構成を示す図である。
【図９】データ管理システムの動作シーケンスを示す。
【発明を実施するための形態】
【００１７】
＜データ管理システム＞
図１は、データ管理システムＳの構成を示す図である。データ管理システムＳは、例えば、病院Ａの検査を受けたユーザが、病院Ａとは異なる医療機関である病院Ｂの医師に病院Ａでのユーザの検査結果を見せて、検査結果に基づく診断を受けるために用いられる。データ管理システムＳは、病院内システム１と、通信端末２と、ネットワーク３と、データ管理装置４と、病院内システム５とを備える。病院内システム１は病院Ａに設置されており、病院内システム５は病院Ｂに設置されているものとする。
【００１８】
病院内システム１は、病院Ａに構築された医療診断データ管理システムであり、例えば、画像保存通信システム（Picture Archiving and Communication System, PACS）である。病院内システム１は、ＬＡＮ（Local Area Network）を介して互いに通信可能な検査装置１１と、サーバ１２と、情報端末１３とを有する。
【００１９】
検査装置１１は、患者を検査するための各種の装置であり、例えば、レントゲン撮影装置である。検査装置１１は、患者を検査することにより検査結果を生成する。検査結果は、例えば、レントゲン画像である。この検査結果は、例えば、ＤＩＣＯＭ（Digital Imaging and COmmunication in Medicine）フォーマット又はＰＤＦ（Portable Document Format）フォーマットにより生成される。
【００２０】
検査装置１１は、この検査結果に病院Ａの医療機関識別情報をヘッダ情報として付加することにより、医療診断データＡ１を生成する。医療機関識別情報は、各医療機関に固有の文字列等であり、医療機関ごとに割り当てられる。さらに、検査装置１１は、病院内システム１内のＬＡＮを介して、医療診断データＡ１をサーバ１２に格納する。サーバ１２は、検査装置１１により生成された医療診断データＡ１を記憶する記憶装置である。
【００２１】
なお、医療診断データＡ１は、病院内システム１内のＬＡＮに接続された医師のコンピュータ（不図示）において作成された電子カルテに基づいて作成された検査結果、診断内容又は薬の処方等に関するＨＬ７−ＣＤＡ形式のテキストデータ等のように、診断画像以外のデータであってもよい。
【００２２】
情報端末１３は、病院Ａに配置された患者又は医療スタッフ用の端末装置であり、例えば、キオスク端末である。情報端末１３は、Ｗｉ−Ｆｉ（登録商標）等の無線通信により、通信端末２へサーバ１２内に記憶されている医療診断データＡ１を送信する。
【００２３】
通信端末２は、無線通信により、情報端末１３等と通信可能な端末であり、例えば、スマートフォン又はタブレットである。通信端末２は、情報端末１３から医療診断データＡ１を受信し、医療診断データＡ１にヘッダ情報としてユーザ識別情報を挿入することにより、医療診断データＡ２を生成する。ユーザ識別情報は、ユーザごとに割り当てられる文字列等であり、例えば、ユーザの電話番号からなる。ユーザ識別情報は、ユーザの電話番号に加えて、ユーザの生年月日、及び、データ管理装置４においてユーザの医療診断データＡ１にアクセスするためのパスワードを含む構成であってもよい。
【００２４】
また、通信端末２は、ネットワーク３を介して医療診断データＡ２をデータ管理装置４へ送信する。さらに、通信端末２は、病院Ｂの医師が医療診断データＡ２にアクセスするための情報を含む識別画像（例えばＱＲコード（登録商標））を表示する。
【００２５】
データ管理装置４は、通信端末２から受信した医療診断データＡ２を管理するためのサーバであり、例えば、インターネット上において医療診断データＡ２を共有するためのオンラインストレージである。データ管理装置４は、通信端末２から医療診断データＡ２を受信して記憶する。また、データ管理装置４は、病院Ｂの医師が使用する後述の医師端末５２に医療診断データＡ２を送信する。
【００２６】
病院内システム５は、病院Ｂに構築された医療診断データ管理システムである。病院内システム５は、ＬＡＮにより互いに通信可能なルーター５１及び医師端末５２を有する。医師端末５２は、病院Ｂの医師に割り当てられたＰＣ（Personal Computer）である。
【００２７】
医師端末５２は、ルーター５１及びネットワーク３を介して、医療診断データＡ２のデータ要求（後述のデータ要求Ｄ２）をデータ管理装置４へ送信する。このデータ要求は、医師端末５２が通信端末２に表示された識別画像を読み取ることにより取得したユーザ識別情報を含む。データ管理装置４は、データ要求に応答して、データ要求に含まれるユーザ識別情報と同一のユーザ識別情報が付された医療診断データＡ２を医師端末５２に送信する。医師端末５２は、この医療診断データＡ２を受信して表示する。
【００２８】
以上説明したように、データ管理システムＳにおいては、通信端末２が、情報端末１３から医療診断データＡ１を受信し、医療診断データＡ１にヘッダ情報としてユーザ識別情報を挿入することにより、医療診断データＡ２を生成する。データ管理システムＳが、このような構成を有することにより、ユーザが、病院Ｂにおいてユーザ識別情報を提示することで、病院Ｂの医師が、病院内システム５のルーター５１を用いて医療診断データＡ２を取得することができる。このように、データ管理システムＳにより、複数の病院による医療診断データの共有を可能にする。
以下、データ管理システムＳの各部の詳細について説明する。
【００２９】
＜情報端末１３＞
図２は、情報端末１３の構成を示す図である。情報端末１３は、制御部３０と、表示部１３１と、操作部１３２と、通信部１３３と、記憶部１３４とを備える。制御部３０は、例えばＣＰＵ（Central Processing Unit）であり、記憶部１３４に記憶されているプログラムを実行することにより、操作受付部３０１、画像出力部３０２、データ取得部３０３及び通信制御部３０４として機能する。
【００３０】
表示部１３１は、画像出力部３０２により入力された画像を表示するディスプレイである。操作部１３２は、ユーザが操作入力を行うためのデバイスである。操作部１３２は、ユーザの操作内容に応じた信号を操作受付部３０１に通知する。通信部１３３は、Ｗｉ−Ｆｉ（登録商標）等の無線ＬＡＮにより通信端末２と通信し、病院内システム１内のＬＡＮによりサーバ１２及び検査装置１１と通信する。
【００３１】
記憶部１３４は、ＲＯＭ（Read Only Memory）及びＲＡＭ（Random Access Memory）等を含む記憶媒体である。記憶部１３４は、制御部３０が実行するプログラムを記憶している。また、記憶部１３４は、制御部３０のワークメモリとして使用される。
【００３２】
操作受付部３０１は、操作部１３２から入力される操作内容を示す信号に基づいて、ユーザの操作内容を特定する。操作受付部３０１は、特定された操作内容を画像出力部３０２及びデータ取得部３０３に通知する。
【００３３】
画像出力部３０２は、表示用データを表示部１３１に表示させる。画像出力部３０２は、情報端末１３と通信端末２との間の無線通信を確立するための無線ＬＡＮの接続情報を格納した識別画像Ｂ１を表示部１３１に表示させる。無線ＬＡＮの接続情報は、例えば、Ｗｉ−Ｆｉのネットワーク名及びパスワード等を含む。識別画像Ｂ１は、情報端末１３と通信端末２とを無線ＬＡＮで接続する場合に、通信端末２側の無線ＬＡＮの設定作業を容易にするために用いられる。画像出力部３０２は、操作受付部３０１が、医療診断データＡ１を通信端末２へ送信することを要求する操作入力を受け付けた場合に、識別画像Ｂ１を出力する。
【００３４】
データ取得部３０３は、ＬＡＮを介して、サーバ１２に記憶されている医療診断データＡ１を取得する。サーバ１２は、ユーザの診察番号等の患者情報に対応付けて医療診断データＡ１を記憶している。サーバ１２は、情報端末１３から、患者情報を含む医療診断データの要求を受けた場合に、患者情報に対応する医療診断データＡ１を抽出して、ＬＡＮを介して情報端末１３へ送信する。データ取得部３０３は、サーバ１２から受信した医療診断データＡ１を通信制御部３０４に入力する。
【００３５】
通信制御部３０４は、通信部１３３を介して、通信端末２からデータ要求Ｄ１を受信する。通信制御部３０４は、データ要求Ｄ１に応答して、データ取得部３０３が取得した医療診断データＡ１を通信端末２に送信する。
【００３６】
＜通信端末２＞
図３は、通信端末２の構成を示す図である。通信端末２は、表示部２１と、操作部２２と、カメラ２３と、送信部２４と、受信部２５と、記憶部２６と、制御部２７とを備える。制御部２７は、例えばＣＰＵであり、記憶部２６に記憶されているプログラムを実行することにより、操作受付部２７１、パターン解析部２７２、識別情報取得部２７３、データ生成部２７４、情報取得部２７５、通信制御部２７６及び画像出力部２７７として機能する。
【００３７】
表示部２１は、画像出力部２７７から入力される表示用データを表示する表示画面であり、ユーザ識別情報を示すパターンを含む識別画像Ｂ２を表示する。表示部２１は、例えば、ＱＲコードを含む識別画像Ｂ２を表示する。
【００３８】
操作部２２は、ユーザが操作入力を行うためのデバイスである。操作部２２は、例えば、表示部２１の表面に設けられたタッチパネルである。操作部２２は、ユーザの操作内容に応じた信号を操作受付部２７１に通知する。
カメラ２３は、撮像センサにより被写体の画像を生成する画像生成部である。カメラ２３は、病院内システム１の情報端末１３の表示部に表示されたＱＲコード等の識別画像を撮影する。カメラ２３は、撮影した識別画像のデータをパターン解析部２７２に入力する。
【００３９】
送信部２４は、通信制御部２７６から入力される送信用データをデータ管理装置４へ送信する。送信部２４は、送信用データを変調し、例えば、ＬＴＥ（Long Term Evolution）に割り当てられている周波数帯の高周波信号として変調後のデータを送信する。
【００４０】
受信部２５は、病院内システム１の情報端末１３及びデータ管理装置４からデータを受信する。受信部２５は、例えば、Ｗｉ−Ｆｉ（登録商標）及びＬＴＥに割り当てられている周波数帯の高周波信号を受信して、この高周波信号を復調し、復調後の受信データを通信制御部２７６に入力する。
【００４１】
記憶部２６は、ＲＯＭ及びＲＡＭ等を含む記憶媒体である。記憶部２６は、制御部２７が実行するプログラムを記憶している。また、記憶部２６は、情報端末１３から受信した診断画像を記憶する。さらに、記憶部２６は、制御部２７のワークメモリとして使用され、例えば、病院内システム１の情報端末１３及びデータ管理装置４からの受信データを一時的に記憶する。
【００４２】
操作受付部２７１は、操作部２２から入力される操作内容を示す信号に基づいて、ユーザの操作内容を特定する。パターン解析部２７２は、カメラ２３が撮影した識別画像を解析する。パターン解析部２７２は、識別画像を解析することにより、識別画像に格納された無線ＬＡＮの接続情報を取得する。
【００４３】
識別情報取得部２７３は、ユーザ識別情報を取得する。ユーザ識別情報は、ユーザに固有の文字列等であり、例えば、携帯電話番号である。識別情報取得部２７３は、通信端末２の通信事業者から付与された携帯電話番号を図示しないＳＩＭカードから読み出し、この携帯電話番号をユーザ識別情報として取得する。また、操作受付部２７１が、ユーザにより入力された文字列を受け付け、識別情報取得部２７３が、この文字列をユーザ識別情報として取得してもよい。
【００４４】
データ生成部２７４は、識別情報取得部２７３が取得したユーザ識別情報を医療診断データＡ１に挿入することにより、医療診断データＡ２を生成する。より詳しくは、データ生成部２７４は、医療診断データＡ１に付加された医療機関識別情報を削除し、かつユーザ識別情報を挿入することにより、医療診断データＡ２を生成する。なお、データ生成部２７４は、医療機関識別情報を削除せずにユーザ識別情報を挿入することにより、医療診断データＡ２を生成してもよい。
【００４５】
情報取得部２７５は、操作受付部２７１を介して、医師を識別するための医師識別情報、及び医療診断データＡ２へのアクセスの可否を示すアクセス可否情報を取得する。情報取得部２７５は、例えば、まず、アクセス可否を設定する対象となる診断画像を選択するための画面、及び選択した診断画像へのアクセスを許可する病院や医師を選択するための画面を表示部２１に表示させる。情報取得部２７５は、表示させた画面において選択された診断画像を特定するための情報（例えば診断画像ＩＤ）を取得する。また、情報取得部２７５は、医師の氏名を医師識別情報として取得し、アクセス可否の設定内容をアクセス可否情報として取得する。情報取得部２７５は、取得した診断画像ＩＤ、医師識別情報及びアクセス可否情報を通信制御部２７６に通知する。
【００４６】
通信制御部２７６は、受信部２５を介して、病院内システム１の情報端末１３から医療診断データＡ１を受信する。より詳しくは、通信制御部２７６は、パターン解析部２７２が特定した接続情報を用いて、情報端末１３へ無線ＬＡＮにより接続する。通信制御部２７６は、送信部２４を介して、医療診断データＡ１を要求するデータ要求Ｄ１を情報端末１３に送信する。情報端末１３は、このデータ要求Ｄ１に応答して、無線ＬＡＮを介して、通信端末２の受信部２５へ医療診断データＡ１を送信する。通信制御部２７６は、この医療診断データＡ１を、受信部２５を介して受信する。
【００４７】
また、通信制御部２７６は、送信部２４を介して、ユーザ識別情報と、診断画像ＩＤと、医師識別情報と、アクセス可否情報とを関連付けてデータ管理装置４に送信する。また、通信制御部２７６は、情報取得部２７５から通知された診断画像ＩＤに対応する診断画像を含む医療診断データＡ２を記憶部２６から読み出して、読み出した医療診断データＡ２をデータ管理装置４に送信する。
【００４８】
画像出力部２７７は、表示用データを表示部２１に表示させる。具体的には、画像出力部２７７は、識別情報取得部２７３が取得したユーザ識別情報、及び情報取得部２７５が取得した医師識別情報に対応する識別画像を含む識別画像Ｂ２を表示部２１に表示させる。例えば、画像出力部２７７は、ユーザが選択した診断画像のＩＤ、ユーザ識別情報及び医師識別情報に対応するパターンの画像を含む識別画像Ｂ２を生成する。なお、画像出力部２７７は、ユーザ識別情報に対応するパターンの画像を含む識別画像Ｂ２を生成してもよい。
【００４９】
図４は、アクセス可否を設定するための画面の例を示す図である。図４（ａ）は、データ管理装置４へ送信する対象の医療診断データＡ２を選択するための選択画面を示す。この選択画面では、画像出力部２７７は、通信端末２の記憶部２６内に保持されている医療診断データＡ２を読み出し、表示部２１に一覧表示させる。図４（ａ）に示す選択画面は、３つの医療診断データＡ２を示しており、医療診断データＡ２のデータ識別情報としてそれぞれ画像名「診断画像Ａ」、「診断画像Ｃ」、「診断画像Ｅ」と表示されている。ユーザが、医療診断データＡ２に対応するチェックボックスを選択した状態において送信ボタンを選択すると、送信部２４が、選択された診断画像Ａをデータ管理装置４へ送信し、表示部２１は、図４（ｂ）の画面を表示する。
【００５０】
図４（ｂ）は、ユーザが医療診断データＡ２へのアクセスを許可する対象の病院を選択するための選択画面を示す。情報取得部２７５は、ネットワーク３を介して、図示しないサーバから病院及び医師のリストを取得し、表示部２１により選択画面に表示させる。例えば、情報取得部２７５は、ユーザの住所の周囲の病院のリストを表示させる。図４（ｂ）においては、情報取得部２７５は、病院名として「病院Ａ」、「病院Ｂ」及び「病院Ｃ」を表示している。ユーザが、いずれかの病院に対応するチェックボックスを選択して選択ボタンを選択すると、図４（ｃ）の画面に移る。
【００５１】
図４（ｃ）は、情報取得部２７５が、医療診断データＡ２へのアクセスを許可する医師を選択するための選択画面を示す。情報取得部２７５は、選択画面において選択された医師名及びアクセス可否の設定内容を、医師識別情報及びアクセス可否情報として取得する。
【００５２】
図４（ｃ）では、情報取得部２７５は、図４（ｂ）において選択された病院に所属する医師を表示部２１に一覧表示させる。図４（ｃ）に示すように、情報取得部２７５は、医師識別情報として、医師名、専門分野及び所属部門をそれぞれ表示させる。図４（ｃ）の画面において、いずれかの医師に対応するチェックボックスをユーザが選択した状態で「選択して終了」ボタンを選択すると、診断画像名と、医師識別情報と、アクセス可否情報とを関連付けてデータ管理装置４に送信する。情報取得部２７５は、いずれかの医師に対応するチェックボックスが選択された状態において、ユーザが「別の画像」ボタンを選択すると、図４（ａ）の選択画面を再度表示させる。
【００５３】
＜データ管理装置４＞
図５は、データ管理装置４の構成を示す図である。データ管理装置４は、通信部４１と、記憶部４２と、制御部４３とを有する。制御部４３は、記憶部４２に記憶されているプログラムを実行することにより、データ管理部４３１、要求受付部４３２及び通信制御部４３３として機能する。通信部４１は、ネットワーク３を介して、通信端末２及び医師端末５２と通信するための通信コントローラを有する。
【００５４】
記憶部４２は、ＲＯＭ、ＲＡＭ及びハードディスク等を含む記憶媒体である。記憶部４２は、制御部４３が実行するプログラムを記憶し、制御部４３のワークメモリとして使用される。また、記憶部４２は、医療診断データＡ２へのアクセスパスやアクセス可否情報を含むアクセス管理テーブル、及び医療診断データＡ２を記憶している。
【００５５】
図６は、アクセス管理テーブルの一例を示す図である。アクセス管理テーブルにおいては、ユーザＩＤごとに、診断画像名、医師名及びアクセス可否情報が関連付けられている。図６においてはユーザＩＤが０００１のユーザ用のデータが示されている。アクセス管理テーブルの最上段では、画像名「診断画像Ａ」の医療診断データＡ２には、医師名「田中△△」の医師と、アクセス可能であることを示すアクセス可否情報「○」とが関連付けられている。つまり、医師名「田中△△」の医師は、画像名「診断画像Ａ」の医療診断データＡ２へのアクセスが許可されていることが示されている。
【００５６】
また、アクセス管理テーブルの下から２段目では、画像名「診断画像Ｂ」の医療診断データＡ２には、医師名「佐藤□□」の医師と、アクセスが禁止されていることを示すアクセス可否情報「×」とが関連付けられている。つまり、医師名「佐藤□□」の医師は、画像名「診断画像Ａ」の医療診断データＡ２へのアクセスが禁止されていることが示されている。
【００５７】
データ管理部４３１は、通信端末２からネットワーク３を介して受信した医療診断データＡ２を記憶部４２に格納するとともに、アクセス管理テーブルを更新する。データ管理部４３１は、要求受付部４３２が医師端末５２からデータ要求Ｄ２を受け付けると、データ要求Ｄ２内のユーザ識別情報と同一のユーザ識別情報に対応するアクセス管理テーブルを参照する。データ管理部４３１は、アクセス管理テーブルにおいて、データ要求Ｄ２を送信した医師が、データ要求Ｄ２において指定されている診断画像にアクセスできるか否かを確認する。
【００５８】
データ管理部４３１は、データ要求Ｄ２を送信した医師が診断画像にアクセスできると判定した場合、医療診断データＡ２を記憶部４２から読み出す。データ管理部４３１は、読み出した医療診断データＡ２を、通信制御部４３３を介して医師端末５２に送信する。データ管理部４３１は、データ要求Ｄ２を送信した医師が診断画像にアクセスできないと判定した場合、医療診断データＡ２を記憶部４２から読み出すことなく、アクセスできない旨を示すメッセージを医師端末５２に送信する。
【００５９】
＜医療診断データの例＞
図７は、医療診断データＡ１及びＡ２の例を示す図である。図７（ａ）は、医療診断データＡ１を示し、図７（ｂ）は、医療診断データＡ２を示す。医療診断データＡ１は、検査結果データＤ１１及びヘッダ情報Ｄ１２を含む。検査結果データＤ１１は、画像や文書等を含むデータであり、図７（ａ）の例では、レントゲン写真の画像データである。ヘッダ情報Ｄ１２は、病院Ａの医療機関識別情報を含む。この例では、病院Ａの医療機関識別情報として、病院ＡのＩＤ及び病院の名前が示されている。さらに、ヘッダ情報Ｄ１２は、データを識別するためのデータ識別情報として画像名を含み、また、撮影情報として撮影部位及び撮影方法を含む。
【００６０】
データ生成部２７４は、図７（ａ）に示す医療診断データＡ１に付加された医療機関識別情報を削除し、かつユーザ識別情報を挿入することにより、図７（ｂ）に示す医療診断データＡ２を生成する。図７（ｂ）に示すように、医療診断データＡ２は、検査結果データＤ２１及びヘッダ情報Ｄ２２を含む。検査結果データＤ２１は、検査結果データＤ１１と同一である。なお、検査結果データＤ２１の一部が検査結果データＤ１１と異なっていてもよい。
【００６１】
ヘッダ情報Ｄ２２は、ユーザ情報を含み、この例では、ユーザ情報として、ユーザの電話番号、氏名及び性別を含む。また、ヘッダ情報Ｄ２２は、医療機関識別情報を含まない。さらに、ヘッダ情報Ｄ２２は、ヘッダ情報Ｄ１２と同様に、データ識別情報及び撮影情報を含む。
【００６２】
＜医師端末５２＞
図８は、医師端末５２の構成を示す図である。医師端末５２は、例えばコンピュータである。医師端末５２は、読取部５２１と、通信部５２２と、表示部５２３と、記憶部５２４と、制御部６０とを有する。制御部６０は、記憶部５２４に記憶されているプログラムを実行することにより、情報取得部６０１、要求生成部６０２、通信制御部６０３及び表示制御部６０４として機能する。
【００６３】
読取部５２１は、例えばＱＲコードを読み取るためのスキャナー又はカメラである。読取部５２１は、病院Ｂを訪れたユーザの通信端末２に表示された識別画像Ｂ２を読み取って、読み取った画像のデータを情報取得部６０１に入力する。
【００６４】
通信部５２２は、ネットワーク３を介して、データ管理装置４と通信するための通信コントローラを有する。表示部５２３は、画像を表示するためのディスプレイである。
【００６５】
記憶部５２４は、ＲＯＭ、ＲＡＭ及びハードディスク等を含む記憶媒体である。記憶部５２４は、制御部６０が実行するプログラムを記憶している。また、記憶部５２４は、データ管理装置４から受信した医療診断データＡ２を記憶する。
【００６６】
情報取得部６０１は、読取部５２１が読み取った識別画像Ｂ２に含まれているユーザ識別情報及び医師識別情報を取得する。情報取得部６０１は、取得したユーザ識別情報及び医師識別情報を要求生成部６０２に通知する。
【００６７】
要求生成部６０２は、ユーザ識別情報及び医師識別情報を含み、医療診断データＡ２を要求するためのデータ要求Ｄ２を生成する。要求生成部６０２は、生成したデータ要求Ｄ２を通信制御部６０３に入力する。
【００６８】
通信制御部６０３は、通信部５２２を介して、データ要求Ｄ２をデータ管理装置４に送信する。また、通信制御部６０３は、データ要求Ｄ２を送信したことに応じてデータ管理装置４から受信する医療診断データＡ２を受信する。通信制御部６０３は、受信した医療診断データＡ２を表示制御部６０４に入力する。表示制御部６０４は、通信制御部６０３が受信した医療診断データＡ２を表示部５２３に表示させる。
【００６９】
＜データ管理システムＳにおける動作シーケンス＞
図９は、データ管理システムＳの動作シーケンスを示す。この動作シーケンスは、情報端末１３の操作受付部２７１が、通信端末２へ医療診断データＡ１を送信することを要求するユーザ操作を受け付けたときに開始される。まず、画像出力部３０２は、識別画像を含む識別画像Ｂ１を生成する（Ｓ１１）。
【００７０】
画像出力部３０２は、生成した識別画像Ｂ１を表示部１３１に表示させる。通信端末２のカメラ２３は、表示された識別画像Ｂ１を撮影する。パターン解析部２７２は、生成された識別画像Ｂ１を解析することにより、識別画像Ｂ１に格納された無線ＬＡＮの接続情報を取得する。通信制御部２７６は、パターン解析部２７２が取得した接続情報を用いて、無線ＬＡＮにより情報端末１３に接続し、データ要求Ｄ１を情報端末１３に送信する。情報端末１３の通信制御部３０４は、データ要求Ｄ１に応答して、無線ＬＡＮを介して、医療診断データＡ１を通信端末２に送信する。
【００７１】
通信端末２の通信制御部２７６は、受信部２５を介して、医療診断データＡ１を受信する。データ生成部２７４は、ユーザ識別情報を医療診断データＡ１に挿入することにより、医療診断データＡ２を生成する（Ｓ１２）。通信制御部２７６は、送信部２４を介して、データ管理装置４へ医療診断データＡ２を送信する。また、画像出力部２７７は、識別画像Ｂ２を生成する（Ｓ１３）。表示部２１は、この識別画像Ｂ２を表示する。
【００７２】
医師端末５２においては、読取部５２１が識別画像Ｂ２を読み取り、要求生成部６０２が、識別画像Ｂ２に含まれているユーザ識別情報及び医師識別情報を含むデータ要求Ｄ２を生成する。通信制御部６０３は、通信部５２２を介して、データ要求Ｄ２をデータ管理装置４へ送信する。データ管理装置４の要求受付部４３２は、受信したデータ要求Ｄ２を受け付け、データ要求Ｄ２内のユーザ識別情報と同一のユーザ識別情報を含む医療診断データＡ２を記憶部４２から読み出す。通信制御部４３３は、通信部４１を介して、医療診断データＡ２を医師端末５２に送信する。
【００７３】
［データ管理システムＳによる効果］
本実施の形態によれば、通信端末２のユーザが、病院Ａで生成された医療診断データＡ１を取得し、通信端末２において、医療診断データＡ１のヘッダにユーザ識別情報を挿入する。そして、通信端末２は、ヘッダにユーザ識別情報を挿入した後の医療診断データＡ２をデータ管理装置４に送信する。
【００７４】
その後、通信端末２のユーザは、他の病院Ｂに行った際に、病院Ｂの医師が医療診断データＡ２を取得するための識別画像Ｂ２を通信端末２に表示させる。病院Ｂの医師は、医師端末５２を用いて識別画像Ｂ２を読み取ることにより、ユーザの医療診断データＡ２を取得することができる。
【００７５】
このようにすることで、病院Ｂの医師は、他の病院Ａで検査して得られた医療診断データＡ１と同じ内容の診断画像を含む医療診断データＡ２を取得して医師端末５２に表示させることができる。したがって、病院Ｂの医師は、病院Ａで検査して得られた診断画像を用いてユーザの診断をすることができる。
【００７６】
また、データ管理装置４は、通信端末２におけるユーザの設定操作に基づいて、各医師がアクセス可能な診断画像を設定することができる。このようにすることで、ユーザは、セカンドオピニオンを求めたい医師に対して、必要な診断画像のみを開示し、他の診断画像を医師に見せないようにすることができる。
【００７７】
なお、本実施の形態では、情報取得部２７５は、ネットワーク３を介して、図示しないサーバから病院及び医師のリストを受信部２５により受信させた。しかしながら、本発明はこれに限定されず、例えば、情報取得部２７５は、Ｗｉ−Ｆｉにより、情報端末１３又は５１から病院または医師のリストを受信してもよい。
【００７８】
（変形例１）
以上の説明においては、通信端末２において、医療診断データＡ１のヘッダに、ユーザ識別情報としてユーザの携帯電話番号を挿入する例を示した。医療診断データＡ１のヘッダにユーザ識別情報を挿入する処理は、通信端末２ではなく、情報端末１３で行ってもよい。この場合、例えば、ユーザが、情報端末１３においてユーザ識別情報として携帯電話番号を入力し、データ取得部３０３が、医療診断データＡ１を取得すると、ヘッダにユーザ識別情報を挿入する。データ取得部３０３は、ヘッダに含まれている病院Ａの識別情報を削除してもよい。
【００７９】
（変形例２）
以上の説明においては、データ管理装置４において、病院Ｂの医師が診断画像にアクセスできるか否かを管理していた。これに対して、病院Ｂの医師端末５２又はその他のコンピュータにおいて、診断画像にアクセスできるか否かを管理してもよい。
【００８０】
この場合、例えば、通信端末２は、アクセス可能な診断画像ＩＤを含む識別画像Ｂ２を生成し、医師端末５２は、識別画像Ｂ２においてアクセス可能であることが示されている診断画像を要求するためのデータ要求Ｄ２をデータ管理装置４に送信する。医師端末５２が、診断画像ＩＤと、医師識別情報と、アクセス可否情報とを関連付けたアクセス管理テーブルを記憶していてもよい。この場合、医師端末５２は、識別画像Ｂ２を読み取った後にアクセス管理テーブルを参照し、識別画像Ｂ２が示している識別画像ＩＤに対応する識別画像に、医師端末５２にログインした医師がアクセス可能になっている場合に、データ管理装置４にデータ要求Ｄ２を送信する。
【００８１】
（変形例３）
以上の説明においては、通信端末２のデータ生成部２７４が全ての医療診断データＡ１のヘッダにユーザ識別情報を挿入できるものとして説明した。しかし、医療診断データＡ１のヘッダに、ヘッダの変更を禁止するフラグが含まれている場合、データ生成部２７４が医療診断データＡ１のヘッダにユーザ識別情報を挿入できないようにしてもよい。このようにすることで、機密性が高い医療診断データＡ１に、他の病院の医師がアクセスできるようになることを防止できる。
【００８２】
（変形例４）
以上の説明においては、識別画像Ｂ２を取得した医師端末５２が、任意のタイミングで医療診断データＡ２を取得できた。しかしながら、ユーザによっては、ユーザが見ている間のみ医師が診断画像を視認できるように、医療診断データＡ２を取得して表示するタイミングを限定したいという場合がある。そこで、通信端末２が、近距離（例えば１０ｍ以内）のみ電波が届くビーコンを発信し、医師端末５２の通信制御部６０３は、通信端末２からビーコンを受信したことを条件として、データ要求Ｄ２をデータ管理装置４に送信することとしてもよい。また、医師端末５２の表示制御部６０４は、通信制御部６０３がビーコンを受信している間のみ、データ管理装置４から受信した医療診断データＡ２を表示部５２３に表示させてもよい。
【００８３】
（変形例５）
以上の説明においては、通信端末２が情報端末１３から医療診断データＡ１を受信して記憶部２６に記憶させ、医療診断データＡ１のヘッダにユーザ識別情報を挿入した医療診断データＡ２を生成する例について説明したが、医療診断データＡ２を生成する端末は通信端末２に限らない。例えば、通信端末２は、受信した医療診断データＡ１を転送するアプリケーションソフトを用いて他の端末に送信し、他の端末において医療診断データＡ１のヘッダにユーザ識別情報を挿入した医療診断データＡ２を生成してもよい。また、通信端末２が、ヘッダにユーザ識別情報を挿入して生成した医療診断データＡ２を他の端末に転送し、他の端末からデータ管理装置４に医療診断データＡ２を送信するようにしてもよい。
【００８４】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００８５】
１  病院内システム
２  通信端末
３  ネットワーク
４  データ管理装置
５  病院内システム
１１  検査装置
１２  サーバ
１３  情報端末
２１  表示部
２２  操作部
２３  カメラ
２４  送信部
２５  受信部
２６  記憶部
２７  制御部
３０  制御部
４１  通信部
４２  記憶部
４３  制御部
５１  ルーター
５２  医師端末
６０  制御部
１３１  表示部
１３２  操作部
１３３  通信部
１３４  記憶部
２７１  操作受付部
２７２  パターン解析部
２７３  識別情報取得部
２７４  データ生成部
２７５  情報取得部
２７６  通信制御部
２７７  画像出力部
３０１  操作受付部
３０２  画像出力部
３０３  データ取得部
３０４  通信制御部
４３１  データ管理部
４３２  要求受付部
４３３  通信制御部
５２１  読取部
５２２  通信部
５２３  表示部
５２４  記憶部
６０１  情報取得部
６０２  要求生成部
６０３  通信制御部
６０４  表示制御部
【図１】
2018106553.tif 000003
【図２】
2018106553.tif 000004
【図３】
2018106553.tif 000005
【図４】
2018106553.tif 000006
【図５】
2018106553.tif 000007
【図６】
2018106553.tif 000008
【図７】
2018106553.tif 000009
【図８】
2018106553.tif 000010
【図９】
2018106553.tif 000011
【手続補正書】
【提出日】平成29年5月15日(2017.5.15)
【手続補正１】
【補正対象書類名】特許請求の範囲
【補正対象項目名】全文
【補正方法】変更
【補正の内容】
【特許請求の範囲】
【請求項１】
携帯端末のプロセッサを、
通信事業者から前記携帯端末のユーザに付与され前記携帯端末に記憶された携帯電話番号を含む、前記ユーザに固有のユーザ識別情報を生成する識別情報取得部、
医療機関に固有の医療機関識別情報が付された前記ユーザの第１医療診断データを前記医療機関の情報端末から受信する受信部、
前記第１医療診断データに付された前記医療機関識別情報を削除し、かつ前記識別情報取得部が生成した前記ユーザ識別情報を前記第１医療診断データに挿入することにより、第２医療診断データを生成するデータ生成部、及び
前記第２医療診断データをデータ管理装置に送信する送信部、
として機能させるための携帯端末用のプログラム。
【請求項２】
コンピュータを、医師に関連付けて、前記第２医療診断データへのアクセスの可否を示すアクセス可否情報を取得する情報取得部としてさらに機能させ、
前記送信部は、医師を識別するための医師識別情報と、前記アクセス可否情報と、前記第２医療診断データを識別するためのデータ識別情報とを関連付けて、前記データ管理装置に送信する、
請求項１に記載の携帯端末用のプログラム。
【請求項３】
コンピュータを、前記ユーザ識別情報及び前記医師識別情報に対応するパターンの画像を含む識別画像を出力する画像出力部としてさらに機能させる、
請求項２に記載の携帯端末用のプログラム。
【請求項４】
携帯端末と、前記携帯端末から受信した医療診断データを管理するデータ管理装置とを備え、
前記携帯端末は、
通信事業者から前記携帯端末のユーザに付与され前記携帯端末に記憶された携帯電話番号を含む、前記ユーザに固有のユーザ識別情報を生成する識別情報取得部と、
医療機関に固有の医療機関識別情報が付された前記ユーザの第１医療診断データを前記医療機関の情報端末から受信する端末受信部と、
前記第１医療診断データに付された前記医療機関識別情報を削除し、かつ前記識別情報取得部が生成した前記ユーザ識別情報を前記第１医療診断データに挿入することにより、第２医療診断データを生成するデータ生成部と、
前記第２医療診断データを前記データ管理装置に送信する端末送信部と、
を有し、
前記データ管理装置は、
前記端末送信部から受信した前記第２医療診断データを記憶する記憶部と、
外部装置から前記ユーザ識別情報を含むデータ要求を受信した場合に、受信した前記ユーザ識別情報が付された前記第２医療診断データを前記外部装置に送信する通信部と、
を有するデータ管理システム。
【請求項５】
携帯端末のプロセッサが実行する、
通信事業者から前記携帯端末のユーザに付与され前記携帯端末に記憶された携帯電話番号を含む、前記ユーザに固有のユーザ識別情報を生成するステップと、
医療機関に固有の医療機関識別情報が付された前記ユーザの第１医療診断データを前記医療機関の情報端末から受信するステップと、
前記第１医療診断データに付された前記医療機関識別情報を削除し、かつ生成した前記ユーザ識別情報を前記第１医療診断データに挿入することにより、第２医療診断データを生成するステップと、
前記第２医療診断データをデータ管理装置に送信するステップと、
を有する携帯端末用のデータ処理方法。
【請求項６】
通信事業者から携帯端末のユーザに付与され前記携帯端末に記憶された携帯電話番号を含む、前記ユーザに固有のユーザ識別情報を生成する識別情報取得部と、
医療機関に固有の医療機関識別情報が付された前記ユーザの第１医療診断データを前記医療機関の情報端末から受信する受信部と、
前記第１医療診断データに付された前記医療機関識別情報を削除し、かつ前記識別情報取得部が生成した前記ユーザ識別情報を前記第１医療診断データに挿入することにより、第２医療診断データを生成するデータ生成部と、
前記第２医療診断データをデータ管理装置に送信する送信部と、
を有する携帯端末。